(57)【要約】      （修正有）【課題】パネル部材にねじ穴を設けることなく装飾部材の取り付けが可能なパネル部材の装飾部材取付構造を提供する。【解決手段】凹溝部３０を有するパネル部材１０に取付部材４０を介して装飾部材６０を取り付ける取付構造Ｓであって、凹溝部３０は、溝開口部３１の幅より溝内部３２の幅の方が大きい形状であり、取付部材４０は、らせん状のねじ溝部を有するねじ棒部４２とねじ棒部４２後端に形成された係合頭部４５とを有するねじ部材４１と、ねじ棒部４２のねじ溝部と螺着可能な内溝部を有する締結部材５０とを備え、ねじ部材４１の係合頭部４５は、凹溝部３０の溝開口部３１の幅より狭い最大幅と、溝開口部３１の幅より長い最大長とを有し、溝開口部３１から挿入されて凹溝部３０内にて回転されることにより凹溝部に係合される。【選択図】図２
0003206062.tif 000002
【実用新案登録請求の範囲】
【請求項１】
凹溝部を有するパネル部材に取付部材を介して装飾部材を取り付ける取付構造であって、
前記凹溝部は、溝開口部の幅より溝内部の幅の方が大きい形状であり、
前記取付部材は、らせん状のねじ溝部を有するねじ棒部と前記ねじ棒部後端に形成された係合頭部とを有するねじ部材と、前記ねじ棒部の前記ねじ溝部と螺着可能な内溝部を有する締結部材とを備え、
前記ねじ部材の前記係合頭部は、前記凹溝部の前記溝開口部の幅より狭い最大幅（Ｒ）と、前記溝開口部の幅より長い最大長（Ｌ）とを有し、前記溝開口部から挿入されて前記凹溝部内にて回転されることにより前記凹溝部に係合される
ことを特徴とするパネル部材の装飾部材取付構造。
【請求項２】
前記係合頭部の端部が鋭角な断面形状を有し、前記ねじ部材の回転により前記端部が前記溝内部に食い込む請求項１に記載のパネル部材の装飾部材取付構造。
【請求項３】
前記ねじ棒部が、先端面に軸回転用の回転溝部を有する請求項１または２に記載のパネル部材の装飾部材取付構造。
【請求項４】
前記ねじ棒部が、先端面に軸回転用のつまみ部を有する請求項１または２に記載のパネル部材の装飾部材取付構造。
【請求項５】
前記パネル部材が人工竹パネルである請求項１ないし４のいずれか１項に記載のパネル部材の装飾部材取付構造。
【請求項６】
前記装飾部材が、前記ねじ部材の前記ねじ棒部が挿通可能な挿通孔を有するとともに前記ねじ部材と前記締結部材との締結により前記パネル部材に固定可能な受部材と、前記受部材を被覆する装飾本体とを備える請求項１ないし５のいずれか１項に記載のパネル部材の装飾部材取付構造。
【請求項７】
前記受部材が緩衝材である請求項１ないし６のいずれか１項に記載のパネル部材の装飾部材取付構造。
【考案の詳細な説明】
【技術分野】
【０００１】
本考案は、パネル部材の装飾部材取付構造に関し、特に凹溝部を有するパネル部材に取付部材を介して装飾部材を取り付ける取付構造に関する。
【背景技術】
【０００２】
例えば、屋内外の庭園の塀、垣根、廊下等の装飾等に、天然竹の風合いを真似た人工竹パネルと称されるパネル部材が多用されている。このような人工竹風のパネル部材は耐候性を備えた合成樹脂から形成され、形状、色彩において天然竹と遜色の無い仕上がりである。加えて、合成樹脂製であるため、天然竹のような腐食や変色、破損が生じにくい利点がある。
【０００３】
人工竹パネルは、竹筒を模した割竹形状の板部材が複数連ねられてパネル状に形成されている。この種の人工竹パネルでは、その用途から装飾性が求められる。例えば、天然竹が備える色調や陰影等を再現するために、複数連なる割竹形状の板部材の接続部分に凹溝部を形成することによって、板部材間に奥行きを作り出して立体感等を強調した人工竹パネルが知られている（特許文献１等参照。）。
【０００４】
また、人工竹パネルは、天然竹の風合いを演出するのみならず、装飾性の観点から四つ目垣、建仁寺垣、御簾垣等の種々の竹垣形状の再現も求められている。これら天然竹で作られる竹垣では、複数連なった竹筒に対して押縁と称される部材が取り付けられる。押縁は、複数の竹筒にまたがって配置されてることにより、連なった竹筒の形状を保持するとともに、竹垣の装飾材としても作用する。
【０００５】
そこで、人工竹パネルにおいても、パネル部材の表面に押縁を模した装飾部材が取り付けられる（特許文献２等参照。）。しかしながら、従来の人工竹パネルでは、ねじ部材を用いてパネル部材表面に装飾部材の取り付けを行っている。そのため、パネル部材にねじ部材のためのねじ穴を設ける必要があった。
【先行技術文献】
【特許文献】
【０００６】
【特許文献１】実用新案登録第３１９３１６６号公報
【特許文献２】特開２００４−３００７４３号公報
【考案の概要】
【考案が解決しようとする課題】
【０００７】
本考案は前記の点に鑑みなされたものであり、パネル部材にねじ穴を設けることなく装飾部材の取り付けが可能なパネル部材の装飾部材取付構造を提供するものである。
【課題を解決するための手段】
【０００８】
すなわち、請求項１の考案は、凹溝部を有するパネル部材に取付部材を介して装飾部材を取り付ける取付構造であって、前記凹溝部は、溝開口部の幅より溝内部の幅の方が大きい形状であり、前記取付部材は、らせん状のねじ溝部を有するねじ棒部と前記ねじ棒部後端に形成された係合頭部とを有するねじ部材と、前記ねじ棒部の前記ねじ溝部と螺着可能な内溝部を有する締結部材とを備え、前記ねじ部材の前記係合頭部は、前記凹溝部の前記溝開口部の幅より狭い最大幅と、前記溝開口部の幅より長い最大長とを有し、前記溝開口部から挿入されて前記凹溝部内にて回転されることにより前記凹溝部に係合されることを特徴とするパネル部材の装飾部材取付構造に係る。
【０００９】
請求項２の考案は、前記係合頭部の端部が鋭角な断面形状を有し、前記ねじ部材の回転により前記端部が前記溝内部に食い込む請求項１に記載のパネル部材の装飾部材取付構造に係る。
【００１０】
請求項３の考案は、前記ねじ棒部が、先端面に軸回転用の回転溝部を有する請求項１または２に記載のパネル部材の装飾部材取付構造に係る。
【００１１】
請求項４の考案は、前記ねじ棒部が、先端面に軸回転用のつまみ部を有する請求項１または２に記載のパネル部材の装飾部材取付構造に係る。
【００１２】
請求項５の考案は、前記パネル部材が人工竹パネルである請求項１ないし４のいずれか１項に記載のパネル部材の装飾部材取付構造に係る。
【００１３】
請求項６の考案は、前記装飾部材が、前記ねじ部材の前記ねじ棒部が挿通可能な挿通孔を有するとともに前記ねじ部材と前記締結部材との締結により前記パネル部材に固定可能な受部材と、前記受部材を被覆する装飾本体とを備える請求項１ないし５のいずれか１項に記載のパネル部材の装飾部材取付構造に係る。
【００１４】
請求項７の考案は、前記受部材が緩衝材である請求項１ないし６のいずれか１項に記載のパネル部材の装飾部材取付構造に係る。
【考案の効果】
【００１５】
請求項１の考案に係るパネル部材の装飾部材取付構造によると、凹溝部を有するパネル部材に取付部材を介して装飾部材を取り付ける取付構造であって、前記凹溝部は、溝開口部の幅より溝内部の幅の方が大きい形状であり、前記取付部材は、らせん状のねじ溝部を有するねじ棒部と前記ねじ棒部後端に形成された係合頭部とを有するねじ部材と、前記ねじ棒部の前記ねじ溝部と螺着可能な内溝部を有する締結部材とを備え、前記ねじ部材の前記係合頭部は、前記凹溝部の前記溝開口部の幅より狭い最大幅と、前記溝開口部の幅より長い最大長とを有し、前記溝開口部から挿入されて前記凹溝部内にて回転されることにより前記凹溝部に係合されるため、パネル部材にねじ穴を設ける必要がなくなるとともに、装飾部材を任意の位置に簡便な作業で取り付けることができて多様な装飾が可能となる。
【００１６】
請求項２の考案に係るパネル部材の装飾部材取付構造によると、請求項１の考案において、前記係合頭部の端部が鋭角な断面形状を有し、前記ねじ部材の回転により前記端部が前記溝内部に食い込むため、凹溝部に対してねじ部材をより強固に固定することが可能となる。
【００１７】
請求項３の考案に係るパネル部材の装飾部材取付構造によると、請求項１または２の考案において、前記ねじ棒部が、先端面に軸回転用の回転溝部を有するため、ねじ回しを用いて適切かつ容易にねじ部材を回転させることができる。
【００１８】
請求項４の考案に係るパネル部材の装飾部材取付構造によると、請求項１または２の考案において、前記ねじ棒部が、先端面に軸回転用のつまみ部を有するため、ペンチ等を用いて適切かつ容易にねじ部材を回転させることができる。
【００１９】
請求項５の考案に係るパネル部材の装飾部材取付構造によると、請求項１ないし４のいずれかの考案において、前記パネル部材が人工竹パネルであるため、和風の雰囲気を演出する建材として用いることが可能である。
【００２０】
請求項６の考案に係るパネル部材の装飾部材取付構造によると、請求項１ないし５のいずれかの考案において、前記装飾部材が、前記ねじ部材の前記ねじ棒部が挿通可能な挿通孔を有するとともに前記ねじ部材と前記締結部材との締結により前記パネル部材に固定可能な受部材と、前記受部材を被覆する装飾本体とを備えるため、装飾本体にねじ穴等を設ける必要がなく、さらに取付部材や受部材が隠蔽できて、装飾性が損なわれない。
【００２１】
請求項７の考案に係るパネル部材の装飾部材取付構造によると、請求項１ないし６のいずれかの考案において、前記受部材が緩衝材であるため、装飾部材の密着性を高めることができる。
【図面の簡単な説明】
【００２２】
【図１】パネル部材の装飾部材取付構造の分解斜視図である。
【図２】パネル部材の装飾部材取付構造の断面図である。
【図３】パネル部材の断面図である。
【図４】取付部材の斜視図である。
【図５】つまみ部を有するねじ部材の斜視図である。
【図６】取付部材と凹溝部との係合状態を表した拡大断面図である。
【図７】図６の状態を表した横断面図である。
【考案を実施するための形態】
【００２３】
図１，２は、パネル部材１０の装飾部材６０の取付構造Ｓの分解斜視図及び断面図であって、凹溝部３０を有するパネル部材１０に取付部材４０を介して装飾部材６０を取り付ける構造である。パネル部材１０は、人工竹パネル、壁面パネル、鏡板、羽目板、掲示用パネル等の種々の板状体が挙げられ、特に装飾性を備えたパネル体が挙げられる。以下の実施形態において、パネル部材１０は人工竹パネルとして説明する。
【００２４】
パネル部材１０を構成する材料は、ポリプロピレン、塩化ビニル、ＡＥＳ、ＡＳＡ、ＦＲＰ、ウレタン等の公知の合成樹脂材料（熱可塑性樹脂材料）である。合成樹脂製であるため、耐候性を備えている。そのため、パネル部材１０を人工竹パネルとした場合、天然竹のような腐食や変色、破損等が発生しにくい。従って、屋内だけでなく屋外での使用にも適しており、庭園の塀、垣根（竹垣）、建具、廊下等の装飾等、和風の雰囲気を演出する建材として好適に用いられる。
【００２５】
パネル部材１０は、図１，２に示すように、凹溝部３０を介して板部２０が複数連ねられて板状に形成された部材である。板部２０は、図１〜３に示すように、円筒形状の竹の幹に見立てて縦方向に割った割竹形状に形成されている。この板部２０は、表面を湾曲形状とすることにより、竹筒状に似せるための立体感を創出する。また、よりリアルな竹形状の風合いを演出可能とするために、図１に示すように、竹の節を模して突出した節状突部２１が適度に形成される。
【００２６】
板部２０では、図２，３に示すように、位置決め溝部２２が設けられる。位置決め溝部２２は、板部２０の裏面側にその長さ方向に直線状に形成され、パネル部材１０を任意の幅方向にて切断し施工する際のガイド溝としての役割を担う。パネル部材１０を所定の幅で切断する際、板部２０の裏面側の位置決め溝部２２にカッターナイフ等の切断工具が押し当てられる。位置決め溝部２２の箇所は板部２０の他の部位と比較して肉薄である。そして、位置決め溝部２２は直線状であることから、切断時の応力集中により容易にパネル部材１０（板部２０）を割ることができる。
【００２７】
凹溝部３０は、図１〜３に示すように、複数の板部２０，２０同士を幅方向に並行に連接してパネル部材１０を形成する部位である。この凹溝部３０は、パネル部材１０の裏面側へ凹んで形成されるため、板部２０，２０間に所定に奥行きを形成して、板部２０の表面の陰影や立体感等をより強調することが可能となる。
【００２８】
凹溝部３０の形状は、図３に示すように、溝開口部３１の幅Ｗ１より溝内部３２の幅Ｗ２の方が大きく形成された断面視略逆Ω字状である。また、凹溝部３０の外側となる裏面部３３は、平坦面として形成されている。平坦な裏面部３３は、パネル部材１０を設置する施工面との取付面となる。取り付けに際しては、裏面部３３に公知の接着剤を塗布して施工面に接着させたり、公知の両面テープ等の粘着部材を介して施工面に接着させたりする等適宜である。従って、パネル部材１０の取り付けに際してねじ止めが不要となり、ねじ穴を開ける必要がない。そのため、外観に影響を及ぼすことがなく、固定に必要な部材数が低減して原価圧縮が可能となるとともに固定作業が簡便となる。
【００２９】
凹溝部３０の溝内部３２には、表溝部３４が形成されている。表溝部３４は前記の位置決め溝部２２と同形状であり、板部２０毎にパネル部材１０を切断する際に使用される。なお、パネル部材の横方向の端部（縁部分）にも凹溝部が露出する。この場合、パネル部材同士を左右方向に連結するため、公知の段差構造や凹凸状の接続部を形成しても良い（ともに図示せず）。こうすると、パネル部材同士の連結に際しての位置合わせが容易となる。
【００３０】
取付部材４０は、図４に示すように、ねじ部材４１と、締結部材５０とを備える。ねじ部材４１は、らせん状のねじ溝部４３を有するねじ棒部４２と、ねじ棒部４２後端に形成された係合頭部４５とを有する。ねじ棒部４２の先端面４２ａには、ねじ部材４１の軸回転用の回転溝部４４が形成されている。回転溝部４４は、公知のねじ回し（ドライバー）を用いてねじ部材４１を回転させるための溝である。回転溝部４４により、ねじ部材４１はねじ回しを用いて適切かつ容易にねじ部材４１を回転させることができる。
【００３１】
また、ねじ部材４１では、回転溝部４４の代わりに、図５に示すように、ねじ棒部４２の先端面４２ａにねじ部材４１の軸回転用のつまみ部４７を形成してもよい。つまみ部４７は、公知のペンチ等により挟持されてねじ部材４１を回転させるための突部である。回転溝部４４が形成された場合と同様に、つまみ部４７により、ねじ部材４１はペンチ等を用いて適切かつ容易にねじ部材４１を回転させることができる。
【００３２】
係合頭部４５は、図４に示すように、ねじ棒部４２の後端にねじ棒部４２より大型に形成された部位である。この係合頭部４５は、図４，６，７に示すように、凹溝部３０の溝開口部３１の幅Ｗ１より狭い最大幅Ｒと、溝開口部３１の幅Ｗ１より長い最大長Ｌとを有する（Ｒ＜Ｗ１＜Ｌ）。係合頭部４５の平面視形状は、長方形や楕円形等、最大幅Ｒと最大長Ｌとを超えない範囲で適宜である。また、係合頭部４５は、図６（ｂ）に示すように端部４６が鋭角な断面形状を有する。鋭角な端部４６を有する係合頭部４５では、最大長Ｌが溝内部３２の幅Ｗ２と等しいかわずかに大きく形成される（Ｗ２≦Ｌ）。
【００３３】
締結部材５０は、図４に示すように、ねじ棒部４２が挿通可能なねじ穴５１を有し、ねじ穴内壁部にねじ棒部４２のねじ溝部４３と螺着可能な内溝部５２を有する。締結部材５０としては、公知のナット部材が用いられる。
【００３４】
取付部材４０にあっては、図６（ａ），７（ａ）に示すように、パネル部材１０の凹溝部３０に対し、ねじ部材４１の係合頭部４５が溝開口部３１から挿入される。ここで、ねじ部材４１では、係合頭部４５の最大幅Ｒが溝開口部３１の幅Ｗ１より狭く形成されている。そのため、凹溝部３０の溝方向に係合頭部４５の長さ方向を合わせることによって、係合頭部４５は凹溝部３０内へ円滑に挿入される。
【００３５】
続いて、係合頭部４５は、図６（ｂ），７（ｂ）に示すように、凹溝部３０内にて回転されることにより凹溝部３０に係合される。この係合頭部４５は、例えばねじ部材４１のねじ棒部４２をつまむ等して回転させてもよいが、公知のねじ回しを用いて回転溝部４４を介して回転させることが作業性の観点から好ましい。回転後の係合頭部４５は、図６（ｂ）に示すように、凹溝部３０内へ挿入された状態から略９０度回転された状態である。係合頭部４５では、最大長Ｌが溝開口部３１の幅Ｗ１より長いことから、回転後の係合頭部４５が溝開口部３１を通過することができない。そして係合頭部４５は、ねじ棒部４２に対する締結部材５０の螺着により、凹溝部３０に係合される。従って、パネル部材１０にねじ穴を設けることなく装飾部材用の取付部材４０を取り付けることが可能となる。
【００３６】
また、係合頭部４５の端部４６を鋭角に形成するとともに、最大長Ｌを溝内部３２の幅Ｗ２と等しいかわずかに大きく形成した場合、図６（ｂ），７（ｂ）に示すように、ねじ部材４１の回転により係合頭部４５の端部４６は溝内部３２の壁部３２ａに食い込んで係合される。この際、公知のねじ回しにより回転溝部４４を介してねじ部材４１を回転させることによって、係合頭部４５の端部４６を溝内部３２に適切かつ容易に食い込ませることが可能である。従って、凹溝部３０に対してねじ部材４１をより強固に固定することが可能となる。なお、図の符号３２ｂは係合頭部４５の端部４６を食い込ませた際に溝内部３２の壁部３２ａに形成される食い込み溝である。
【００３７】
装飾部材６０は、パネル部材１０にその用途に応じた適宜の装飾性を付与する部材であって、図１，２に示すように、取付部材４０を介してパネル部材１０に取り付けられる。装飾部材６０の取り付けは、例えば、ねじ部材４１のねじ棒部４２に紐やフック等を介して吊り下げたり、ねじ部材４１及び締結部材５０により螺着または締結したりする等、適宜である。
【００３８】
実施形態の装飾部材６０は、受部材６１と、装飾本体６５とを備える。受部材６１は、図２に示すように、ねじ部材４１のねじ棒部４２が挿通可能な挿通穴６２を有するとともに、ねじ部材４１と締結部材５０との締結によりパネル部材１０に固定される。挿通穴６２は、締結部材５０用の大径穴部６２ａと、大径穴部６２ａより小さいねじ部材４１用の小径穴部６２ｂとが連通された断面視段形状に形成されている。そして、小径穴部６２ｂから大径穴部６２ａ側へ突出したねじ棒部４２の先端側へ締結部材５０を螺着させて、大径穴部６２ａの段部６２ｃに圧着させることにより、受部材６１は固定される。
【００３９】
受部材６１では、パネル部材１０に対する密着性の観点から、緩衝材が用いられる。受部材６１の材質は、ウレタン樹脂やシリコーンゴム等の柔軟性や弾性力を有する合成樹脂材料が好ましい。緩衝材の柔軟性や弾性力により、パネル部材１０の表面形状に対応して密着しやすくなるとともに、取付部材４０の締結に対して弾性的に反発して強固に固定される。また、受部材６１のパネル部材１０に対する当接面６３を、パネル部材１０の表面形状に対応した形状とすることにより、密着性をより向上させることができる。図２に示す実施形態では、割竹形状を模して湾曲した板部２０，２０の対向する傾斜面と、板部２０，２０間に介在された凹溝部３０とに対応して、当接面６３は断面視略扇状に形成される。当接面６３を断面視略扇状とすれば、対向する傾斜面の高低差を利用してより密着性が高まる。
【００４０】
装飾本体６５は、装飾性を備えた部材であって、受部材６１を被覆するように取り付けられる。受部材６１と装飾本体６５は、公知の接着剤や公知の両面テープ等の粘着部材等により接着される。このように装飾本体６５は、受部材６１を被覆するように取り付けられることにより、取付部材４０や受部材６１を隠蔽することができるとともに、取り付けのためのねじ穴等を設ける必要がない。従って、装飾本体６５を取り付けるための構造が外部に露出せず、装飾性が損なわれない。実施形態の装飾部材６０は、パネル部材１０が人工竹パネルであることから、押縁を模した部材とされる。すなわち、円筒形状の竹の幹に見立てて縦方向に割った割竹形状の部材である。この押縁状の装飾本体６５では、必要に応じて、竹の節を模して突出した節状突部６６が適度に形成される。
【００４１】
以上図示し説明したように、パネル部材の装飾部材取付構造は、凹溝部を有するパネル部材に取付部材を介して装飾部材を取り付ける構造であって、凹溝部が溝開口部の幅より溝内部の幅の方が大きい形状であり、取付部材は、ねじ棒部と係合頭部とを有するねじ部材と、ねじ棒部に螺着可能な締結部材とを備え、係合頭部は溝開口部の幅より狭い最大幅Ｒと、溝開口部の幅より長い最大長Ｌとを有し、溝開口部から挿入されて凹溝部内にて回転されることにより凹溝部に係合されるため、パネル部材に取付部材用のねじ穴を設ける必要がない。そして、取付部材は、溝開口部から挿入して係合（固定）するものであるから、任意の位置に簡便な作業で配置することが可能である。従って、装飾部材の取付位置の自由度が向上されて、多様な装飾が可能となる。
【００４２】
また特に、装飾部材を取付部材のための受部材と受部材を被覆する装飾本体とで構成することにより、パネル部材のみならず人目につく装飾本体にもねじ穴等を設ける必要がなく、しかも取付構造を隠蔽することができる。従って、装飾部材の取付構造が外部に露出せず、パネル部材の装飾性は損なわれない。
【産業上の利用可能性】
【００４３】
本考案のパネル部材の装飾部材取付構造は、パネル部材に取付部材用のねじ穴等を設ける必要がなく、装飾部材を任意の位置に取り付け可能であるため、従来に比して多様な装飾が可能なパネル部材を提供することができる。
【符号の説明】
【００４４】
１０  パネル部材
２０  板部
２１  節状突部
２２  位置決め溝部
３０  凹溝部
３１  溝開口部
３２  溝内部
３２ａ  溝内部の壁部
３３  裏面部
３４  表溝部
４０  取付部材
４１  ねじ部材
４２  ねじ棒部
４２ａ  先端面
４３  ねじ溝部
４４  回転溝部
４５  係合頭部
４６  係合頭部の端部
４７  つまみ部
５０  締結部材
５１  ねじ穴
５２  内溝部
６０  装飾部材
６１  受部材
６２  挿通穴
６２ａ  大径穴部
６２ｂ  小径穴部
６２ｃ  大径穴部の段部
６３  当接面
６５  装飾本体
６６  節状突部
Ｌ  係合頭部の最大長
Ｒ  係合頭部の最大幅
Ｓ  パネル部材の装飾部材取付構造
Ｗ１  溝開口部の幅
Ｗ２  溝内部の幅
【図１】
0003206062.tif 000003
【図２】
0003206062.tif 000004
【図３】
0003206062.tif 000005
【図４】
0003206062.tif 000006
【図５】
0003206062.tif 000007
【図６】
0003206062.tif 000008
【図７】
0003206062.tif 000009
【手続補正書】
【提出日】平成28年6月22日(2016.6.22)
【手続補正１】
【補正対象書類名】実用新案登録請求の範囲
【補正対象項目名】全文
【補正方法】変更
【補正の内容】
【実用新案登録請求の範囲】
【請求項１】
凹溝部を有するパネル部材に取付部材を介して装飾部材を取り付ける取付構造であって、
前記凹溝部は、溝開口部の幅より溝内部の幅の方が大きい形状であり、
前記取付部材は、らせん状のねじ溝部を有するねじ棒部と前記ねじ棒部後端に形成された係合頭部とを有するねじ部材と、前記ねじ棒部の前記ねじ溝部と螺着可能な内溝部を有する締結部材とを備え、
前記ねじ部材の前記係合頭部は、前記凹溝部の前記溝開口部の幅より狭い最大幅（Ｒ）と、前記溝開口部の幅より長い最大長（Ｌ）とを有し、前記溝開口部から挿入されて前記凹溝部内にて回転されることにより前記凹溝部に係合される
ことを特徴とするパネル部材の装飾部材取付構造。
【請求項２】
前記係合頭部の端部が鋭角な断面形状を有し、前記ねじ部材の回転により前記端部が前記溝内部に食い込む請求項１に記載のパネル部材の装飾部材取付構造。
【請求項３】
前記ねじ棒部が、先端面に軸回転用の回転溝部を有する請求項１または２に記載のパネル部材の装飾部材取付構造。
【請求項４】
前記ねじ棒部が、先端面に軸回転用のつまみ部を有する請求項１または２に記載のパネル部材の装飾部材取付構造。
【請求項５】
前記パネル部材が人工竹パネルである請求項１ないし４のいずれか１項に記載のパネル部材の装飾部材取付構造。
【請求項６】
前記装飾部材が、前記ねじ部材の前記ねじ棒部が挿通可能な挿通孔を有するとともに前記ねじ部材と前記締結部材との締結により前記パネル部材に固定可能な受部材と、前記受部材を被覆する装飾本体とを備える請求項１ないし５のいずれか１項に記載のパネル部材の装飾部材取付構造。
【請求項７】
前記受部材が緩衝材である請求項６に記載のパネル部材の装飾部材取付構造。
【手続補正２】
【補正対象書類名】明細書
【補正対象項目名】００１４
【補正方法】変更
【補正の内容】
【００１４】
請求項７の考案は、前記受部材が緩衝材である請求項６に記載のパネル部材の装飾部材取付構造に係る。
【手続補正３】
【補正対象書類名】明細書
【補正対象項目名】００２１
【補正方法】変更
【補正の内容】
【００２１】
請求項７の考案に係るパネル部材の装飾部材取付構造によると、請求項６の考案において、前記受部材が緩衝材であるため、装飾部材の密着性を高めることができる。